(57)【要約】【課題】リソースブロックによって使用可能なリソース要素数が一定でない場合であっても、ＰＤＳＣＨにおいて所望の伝送品質を実現する。【解決手段】本発明に係る無線基地局ｅＮＢは、ＰＤＳＣＨにおいて、移動局に割り当てられている１つ又は複数の第１リソースブロックにおける受信品質情報の平均値、及び、第１リソースブロック内で下りリンク共通チャネル用の無線リソース或いはＰＤＣＣＨ用の無線リソースとして割り当てられているリソース要素の数に基づいて、受信品質情報の補正値を算出する算出部１２と、受信品質情報の補正値に基づいて、ＰＤＳＣＨにおいて使用すべき変調方式及び第１リソースブロックの各々で伝送可能なビット数を選択する選択部１３とを具備する。【選択図】図２
2010154108.tif 000002
【特許請求の範囲】
【請求項１】
移動局に対して、下りリンク共有チャネルにおいて該移動局に対して割り当てられた１つ又は複数の第１リソースブロックを用いて、所定情報を送信するように構成されている無線基地局であって、
前記１つ又は複数の第１リソースブロックにおける受信品質情報、及び、該第１リソースブロック内で下りリンク共通チャネル用の無線リソース或いは下りリンク制御チャネル用の無線リソースとして割り当てられているリソース要素の数に基づいて、該受信品質情報の補正値を算出するように構成されている算出部と、
前記受信品質情報の補正値に基づいて、前記１つ又は複数の第１リソースブロックにおいて使用すべき変調方式及び伝送可能なビット数を選択するように構成されている選択部とを具備することを特徴とする無線基地局。
【請求項２】
前記算出部は、前記第１リソースブロックにおける前記受信品質情報を「ＣＱＩａｌｌｏｃａｔｅｄ」とし、該第１リソースブロック内で前記下りリンク共通チャネル用の無線リソースとして割り当てられているリソース要素の数に基づいて算出されるパラメータを「Δａｌｌｏｃａｔｅｄ」とし、前記移動局に対して下りリンク共有チャネルを介して送信された所定情報の該移動局における受信結果に応じて増減するオフセット値を「ＣＱＩ_ｏｆｆｓｅｔ」とした場合に、「ＣＱＩＡｄｊｕｓｔｅｄ＝ＣＱＩａｌｌｏｃａｔｅｄ＋ＣＱＩ_ｏｆｆｓｅｔ−Δａｌｌｏｃａｔｅｄ」によって、前記受信品質情報の補正値「ＣＱＩＡｄｊｕｓｔｅｄ」を算出するように構成されていることを特徴とする請求項１に記載の無線基地局。
【請求項３】
前記算出部は、
前記受信品質情報「ＣＱＩａｌｌｏｃａｔｅｄ」に対応する信号対干渉比「ＳＩＲａｌｌｏｃａｔｅｄ」を取得し、
前記第１リソースブロック内の前記リソース要素の数を「ＮＲＥ」とし、該第１リソースブロック内で前記下りリンク共通チャネル用の無線リソースとして割り当てられている前記リソース要素の数を「ＮＲＥ，ＳＣＨ/Ｐ-ＢＣＨ」とした場合に、
【数Ａ】
2010154108.tif 000016
によって、前記信号対干渉比の補正値「ＳＩＲａｌｌｏｃａｔｅｄ’」を算出し、
前記信号対干渉比の補正値「ＳＩＲａｌｌｏｃａｔｅｄ’」に対応する前記受信品質情報の補正値「ＣＱＩａｌｌｏｃａｔｅｄ’」を取得し、
「Δａｌｌｏｃａｔｅｄ＝ＣＱＩａｌｌｏｃａｔｅｄ−ＣＱＩａｌｌｏｃａｔｅｄ’」によって、前記パラメータ「Δａｌｌｏｃａｔｅｄ」を算出するように構成されていることを特徴とする請求項２に記載の無線基地局。
【請求項４】
前記算出部は、
インデックス値「ｘ」に対応する前記ビット数を「ＴＢＳｘ」とし、前記第１リソースブロック内の前記リソース要素の数を「ＮＲＥ」とし、該第１リソースブロック内で前記下りリンク共通チャネル用の無線リソースとして割り当てられている前記リソース要素の数を「ＮＲＥ，ＳＣＨ/Ｐ-ＢＣＨ」とした場合に、
【数Ｂ】
2010154108.tif 000017
を満足する最大の「Δａｌｌｏｃａｔｅｄ」を、前記パラメータ「Δａｌｌｏｃａｔｅｄ」として算出するように構成されていることを特徴とする請求項２に記載の無線基地局。
【請求項５】
前記算出部は、前記受信品質情報を「ＣＱＩａｌｌｏｃａｔｅｄ」とし、前記第１リソースブロック内で前記下りリンク制御チャネル用の無線リソースとして割り当てられているリソース要素の数に基づいて算出されるパラメータを「ΔＰＤＣＣＨ_ｓｙｍｂｏｌ」とし、前記第１リソースブロックを用いて送信された所定情報の前記移動局における受信結果に応じて増減するオフセット値を「ＣＱＩ_ｏｆｆｓｅｔ」とした場合に、「ＣＱＩＡｄｊｕｓｔｅｄ＝ＣＱＩａｌｌｏｃａｔｅｄ＋ＣＱＩ_ｏｆｆｓｅｔ−ΔＰＤＣＣＨ_ｓｙｍｂｏｌ」によって、前記受信品質情報の補正値「ＣＱＩＡｄｊｕｓｔｅｄ」を算出するように構成されていることを特徴とする請求項１に記載の無線基地局。
【請求項６】
前記算出部は、
前記受信品質情報「ＣＱＩａｌｌｏｃａｔｅｄ」に対応する信号対干渉比「ＳＩＲａｌｌｏｃａｔｅｄ」を取得し、
前記第１リソースブロック内の前記リソース要素の数を「ＮＲＥ」とし、該第１リソースブロック内で前記下りリンク制御チャネル用の無線リソースとして割り当てられている前記リソース要素の数を「ＮＲＥ，ＰＤＣＣＨ」とした場合に、
【数Ｃ】
2010154108.tif 000018
によって、前記信号対干渉比の補正値「ＳＩＲａｌｌｏｃａｔｅｄ’」を算出し、
前記信号対干渉比の補正値「ＳＩＲａｌｌｏｃａｔｅｄ’」に対応する前記受信品質情報の補正値「ＣＱＩａｌｌｏｃａｔｅｄ’」を取得し、
「ΔＰＤＣＣＨ_ｓｙｍｂｏｌ＝ＣＱＩａｌｌｏｃａｔｅｄ−ＣＱＩａｌｌｏｃａｔｅｄ’」によって、前記パラメータ「ΔＰＤＣＣＨ_ｓｙｍｂｏｌ」を算出するように構成されていることを特徴とする請求項５に記載の無線基地局。
【請求項７】
前記算出部は、
インデックス値「ｘ」に対応する前記ビット数を「ＴＢＳｘ」とし、前記第１リソースブロック内の前記リソース要素の数を「ＮＲＥ」とし、該第１リソースブロック内で前記下りリンク制御チャネル用の無線リソースとして割り当てられている前記リソース要素の数を「ＮＲＥ，ＰＤＣＣＨ」とした場合に、
【数Ｄ】
2010154108.tif 000019
を満足する最大の「ΔＰＤＣＣＨ_ｓｙｍｂｏｌ」を、前記パラメータ「ΔＰＤＣＣＨ_ｓｙｍｂｏｌ」として算出するように構成されていることを特徴とする請求項５に記載の無線基地局。
【請求項８】
前記算出部は、前記受信品質情報を「ＣＱＩａｌｌｏｃａｔｅｄ」とし、前記第１リソースブロック内で前記下りリンク共通チャネル用の無線リソース及び前記下りリンク制御チャネル用の無線リソースとして割り当てられているリソース要素の数に基づいて算出されるパラメータを「Δａｌｌｏｃａｔｅｄ＆ＰＤＣＣＨ_ｓｙｍｂｏｌ」とし、前記第１リソースブロックを用いて送信された所定情報の前記移動局における受信結果に応じて増減するオフセット値を「ＣＱＩ_ｏｆｆｓｅｔ」とした場合に、「ＣＱＩＡｄｊｕｓｔｅｄ＝ＣＱＩａｌｌｏｃａｔｅｄ＋ＣＱＩ_ｏｆｆｓｅｔ−Δａｌｌｏｃａｔｅｄ＆ＰＤＣＣＨ_ｓｙｍｂｏｌ」によって、前記受信品質情報の補正値「ＣＱＩＡｄｊｕｓｔｅｄ」を算出するように構成されていることを特徴とする請求項１に記載の無線基地局。
【請求項９】
前記算出部は、
前記受信品質情報「ＣＱＩａｌｌｏｃａｔｅｄ」に対応する信号対干渉比「ＳＩＲａｌｌｏｃａｔｅｄ」を取得し、
前記第１リソースブロック内の前記リソース要素の数を「ＮＲＥ」とし、該第１リソースブロック内で前記下りリンク共通チャネル用の無線リソースとして割り当てられている前記リソース要素の数を「ＮＲＥ，ＳＧＨ/Ｐ-ＢＣＨ」とし、該第１リソースブロック内で前記下りリンク制御チャネル用の無線リソースとして割り当てられている前記リソース要素の数を「ＮＲＥ，ＰＤＣＣＨ」とした場合に、
【数Ｅ】
2010154108.tif 000020
によって、前記信号対干渉比の補正値「ＳＩＲａｌｌｏｃａｔｅｄ’」を算出し、
前記信号対干渉比の補正値「ＳＩＲａｌｌｏｃａｔｅｄ’」に対応する前記受信品質情報の補正値「ＣＱＩａｌｌｏｃａｔｅｄ’」を取得し、
「Δａｌｌｏｃａｔｅｄ＆ＰＤＣＣＨ_ｓｙｍｂｏｌ＝ＣＱＩａｌｌｏｃａｔｅｄ−ＣＱＩａｌｌｏｃａｔｅｄ’」によって、前記パラメータ「Δａｌｌｏｃａｔｅｄ＆ＰＤＣＣＨ_ｓｙｍｂｏｌ」を算出するように構成されていることを特徴とする請求項８に記載の無線基地局。
【請求項１０】
前記算出部は、
インデックス値「ｘ」に対応する前記ビット数を「ＴＢＳｘ」とし、前記第１リソースブロック内の前記リソース要素の数を「ＮＲＥ」とし、該第１リソースブロック内で前記下りリンク共通チャネル用の無線リソースとして割り当てられている前記リソース要素の数を「ＮＲＥ，ＳＧＨ/Ｐ-ＢＣＨ」とし、該第１リソースブロック内で前記下りリンク制御チャネル用の無線リソースとして割り当てられている前記リソース要素の数を「ＮＲＥ，ＰＤＣＣＨ」とした場合に、
【数Ｆ】
2010154108.tif 000021
を満足する最大の「Δａｌｌｏｃａｔｅｄ＆ＰＤＣＣＨ_ｓｙｍｂｏｌ」を、前記パラメータ「Δａｌｌｏｃａｔｅｄ＆ＰＤＣＣＨ_ｓｙｍｂｏｌ」として算出するように構成されていることを特徴とする請求項８に記載の無線基地局。
【請求項１１】
移動局に対して、下りリンク共有チャネルにおいて該移動局に対して割り当てられた１つ又は複数の第１リソースブロックを用いて、所定情報を送信するように構成されている無線基地局における通信制御方法であって、
前記１つ又は複数の第１リソースブロックにおける受信品質情報、及び、該第１リソースブロック内で下りリンク共通チャネル用の無線リソース或いは下りリンク制御チャネル用の無線リソースとして割り当てられているリソース要素の数に基づいて、該受信品質情報の補正値を算出する第１のステップと、
前記受信品質情報の補正値に基づいて、前記１つ又は複数の第１リソースブロックにおいて使用すべき変調方式及び伝送可能なビット数を選択する第２のステップとを備えることを特徴とする通信制御方法。
【発明の詳細な説明】
【技術分野】
【０００１】
本発明は、移動局に対して、下りリンク共有チャネルにおいて該移動局に対して割り当てられたリソースブロックを用いて、所定情報を送信するように構成されている無線基地局及び通信制御方法に関する。
【背景技術】
【０００２】
移動局において測定された下りリンクにおける受信品質情報（ＣＱＩ：Ｃｈａｎｎｅｌ  Ｑｕａｌｉｔｙ  Ｉｎｄｉｃａｔｏｒ）に基づいて、下りリンクデータチャネルの変調方式やチャネル符号化率を制御する「ＡＭＣ（Ａｄａｐｔｉｖｅ  Ｍｏｄｕｌａｔｉｏｎ  ａｎｄ  Ｃｏｄｉｎｇ）制御」が知られている。
【０００３】
ここで、ある変調方式において、チャネル符号化率に応じて、単位時間あたりの所定周波数リソースによって伝送可能なビット数（ＴＢＳ：Ｔｒａｎｓｐｏｒｔ  Ｂｌｏｃｋ  Ｓｉｚｅ）が決まる。
【０００４】
したがって、３ＧＰＰで規定されているＨＰＤＰＡ（Ｈｉｇｈ  Ｓｐｅｅｄ  Ｄｏｗｎｌｉｎｋ  Ｐａｃｋｅｔ  Ａｃｃｅｓｓ）方式のＡＭＣ制御では、ＣＱＩに基づいて、変調方式及びＴＢＳを制御するように構成されている。
【０００５】
しかしながら、かかるＡＭＣ制御では、移動局ごとに、ＣＱＩの測定精度にバラつきがあると、かかるＣＱＩに基づいて変調方式及びＴＢＳを制御したとしても、所望の伝送品質を実現することができないという問題点があった。
【０００６】
そこで、かかる問題点を解決するために、ＨＳＤＰＡ方式では、無線基地局が、各移動局から通知されたＣＱＩに対して各移動局に固有のオフセット（ＣＱＩ_ｏｆｆｓｅｔ）を加えることによって算出されたＣＱＩの補正値「ＣＱＩＡｄｊｕｓｔｅｄ」、すなわち、「ＣＱＩＡｄｊｕｓｔｅｄ＝ＣＱＩ＋ＣＱＩ_ｏｆｆｓｅｔ」によって算出されたＣＱＩの補正値「ＣＱＩＡｄｊｕｓｔｅｄ」に基づいて、変調方式及びＴＢＳを決定するというＡＭＣ制御が適用されている。
【０００７】
例えば、特許文献１においては、前記ＣＱＩ_ｏｆｆｓｅｔを、（式１）に示すように、移動局から通知された下りリンクデータチャネルにおける受信結果（ＡＣＫ/ＮＡＣＫ）に基づいて調整されることが示されている。
【数１】
2010154108.tif 000003
【特許文献１】特願２００４-１３６６６２号
【発明の開示】
【発明が解決しようとする課題】
【０００８】
図８（ａ）に示すように、ＨＳＤＰＡ方式では、各移動局ＭＳに対して、時間スロットごとに、下り共有データチャネル（ＨＳ-ＤＳＣＨ：Ｈｉｇｈ  Ｓｐｅｅｄ  Ｄｏｗｎｌｉｎｋ  Ｓｈａｒｅｅｄ  Ｃｈａｎｎｅｌ）用のコードリソース（無線リソース）を割り当てるように構成されており、無線リソースの割り当て単位は、一定である。
【０００９】
一方、図８（ｂ）に示すように、３ＧＰＰで規定されているＬＴＥ（Ｌｏｎｇ  Ｔｅｒｍ  Ｅｖｏｌｕｔｉｏｎ）方式では、各移動局ＭＳに対して、時間スロット（サブフレーム）ごとに、下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）用の無線リソースを割り当てるように構成されている。
【００１０】
ＬＴＥ方式における無線リソースは、下りリンク共有チャネルに対して、システム帯域幅を所定帯域幅ごとに区切ったリソースブロック単位で割り当てられるように構成されている。
【００１１】
具体的には、リソースブロックは、周波数方向及び時間方向の二次元平面で定義される下りリンク共有チャネルに対する無線リソースの最小割り当て単位であり、時間方向の７個のＯＦＤＭシンボルと周波数方向の１２個のサブキャリアによって構成されている。
【００１２】
なお、リソースブロックを構成する要素を「リソース要素」と呼び、各リソースブロックは、１２×７個のリソース要素によって構成されている。
【００１３】
しかしながら、ＬＴＥ方式では、下りリンク共通チャネルがマッピングされているリソースブロックが存在するため、各リソースブロックによってユーザデータの伝送に使用することが可能なリソース要素数が異なる。
【００１４】
したがって、同じ変調方式及び情報ビット数（ＴＢＳ）の伝送を仮定した場合、使用するリソースブロックによって、チャネル符号化後のビット数が異なるため、所望の伝送品質（例えば、ＢＬＥＲ）を実現することができなくなるという問題点があった。
【００１５】
ここで、下りリンク共通チャネルとしては、第１の同期チャネル（Ｐ-ＳＣＨ：Ｐｒｉｍａｒｙ-Ｓｙｎｃｈｒｏｎｉｚａｔｉｏｎ  Ｃｈａｎｎｅｌ）や、第２の同期チャネル（Ｓ-ＳＣＨ：Ｓｅｃｏｎｄａｒｙ-Ｓｙｎｃｈｒｏｎｉｚａｔｉｏｎ  Ｃｈａｎｎｅｌ）や、物理報知チャネル（Ｐ-ＢＣＨ：Ｐｈｙｓｉｃａｌ  Ｂｒｏａｄｃａｓｔ  Ｃｈａｎｎｅｌ）等が想定される。
【００１６】
なお、上述したＰ-ＳＣＨ及びＳ-ＳＣＨは、それぞれ、「Ｐｒｉｍａｒｙ  Ｓｙｎｃｈｒｏｎｉｚａｔｉｏｎ  Ｓｉｇｎａｌｓ」及び「Ｓｅｃｏｎｄａｒｙ  Ｓｙｎｃｈｒｏｎｉｚａｔｉｏｎ  Ｓｉｇｎａｌｓ」と呼ばれてもよい。
【００１７】
また、ＬＴＥ方式では、下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は、各時間スロットの先頭の１〜３個のＯＦＤＭシンボルにマッピングされ、送信される制御情報の情報量に応じて、ＰＤＣＣＨがマッピングされるＯＦＤＭシンボル数が変わるため、同じ変調方式及びＴＢＳが選択された場合であっても、チャネル符号化後のビット数（チャネル符号化率）が異なってしまい、所望の伝送品質（例えば、ＢＬＥＲ）を実現することができなくなるという問題点があった。
【００１８】
そこで、本発明は、上述の課題に鑑みてなされたものであり、下りリンクデータチャネルに対する無線リソースの割り当て単位によって伝送可能なビット数が一定でない場合であっても、下りリンクデータチャネルにおいて所望の伝送品質を実現することができる無線基地局及び通信制御方法を提供することを目的とする。
【課題を解決するための手段】
【００１９】
本発明の第１の特徴は、移動局に対して、下りリンク共有チャネルを介して所定情報を送信するように構成されている無線基地局であって、前記下りリンク共有チャネル用の無線リソースとして割り当てられている１つ又は複数の第１リソースブロックにおける受信品質情報、及び、該第１リソースブロック内で下りリンク共通チャネル用の無線リソース或いは下りリンク制御チャネル用の無線リソースとして割り当てられているリソース要素の数に基づいて、該受信品質情報の補正値を算出するように構成されている算出部と、前記受信品質情報の補正値に基づいて、前記下りリンク共有チャネルにおける該移動局に対して割当てられた第1リソースブロックにおいて使用すべき変調方式及び前記第１リソースブロックの各々で伝送可能なビット数を選択するように構成されている選択部とを具備することを要旨とする。
【００２０】
本発明の第２の特徴は、移動局に対して、下りリンク共有チャネルにおいて該移動局に対して割り当てられた１つ又は複数の第１リソースブロックを用いて、所定情報を送信するように構成されている無線基地局における通信制御方法であって、前記１つ又は複数の第１リソースブロックにおける受信品質情報、及び、該第１リソースブロック内で下りリンク共通チャネル用の無線リソース或いは下りリンク制御チャネル用の無線リソースとして割り当てられているリソース要素の数に基づいて、該受信品質情報の補正値を算出する第１のステップと、
前記受信品質情報の補正値に基づいて、前記１つ又は複数の第１リソースブロックにおいて使用すべき変調方式及び伝送可能なビット数を選択する第２のステップとを備えることを要旨とする。
【発明の効果】
【００２１】
以上説明したように、本発明によれば、下りリンクデータチャネルに対する無線リソースの割り当て単位によって使用可能なリソース要素数が一定でない場合であっても、下りリンクデータチャネルにおいて所望の伝送品質を実現することができる無線基地局及び通信制御方法を提供することができる。
【発明を実施するための最良の形態】
【００２２】
（本発明の第１の実施形態に係る移動通信システムの構成）
図１乃至図４を参照して、本発明の第１の実施形態に係る移動通信システムの構成について説明する。
【００２３】
図１に示すように、本実施形態に係る移動通信システムは、ＬＴＥ方式の移動通信システムであって、無線基地局ｅＮＢと、移動局ＵＥとを具備している。
【００２４】
本実施形態に係る移動通信システムでは、無線アクセス方式として、下りリンクについては「ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式」が適用され、上りリンクについては「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用されている。
【００２５】
ＯＦＤＭ方式は、特定の周波数帯域を複数のサブキャリアに分割し、サブキャリア上にデータを載せて伝送を行う方式である。かかるＯＦＤＭ方式によれば、サブキャリアを周波数軸上で一部重なりあいながらも互いに干渉することなく密に並べることで、高速伝送を実現し、周波数の利用効率を上げることができる。
【００２６】
また、ＳＣ-ＦＤＭＡ方式は、特定の周波数帯域を分割し、複数の移動局ＵＥの間で異なる周波数帯域を用いて伝送することで、複数の移動局ＵＥの間における干渉を低減することができる伝送方式である。
【００２７】
また、ＳＣ-ＦＤＭＡ方式によれば、送信電力の変動が小さくなる特徴を有することから、移動局ＵＥの低消費電力化及び広いカバレッジを実現することができる。
【００２８】
本実施形態に係る移動通信システムでは、下りリンクにおいて、無線基地局ｅＮＢと移動局ＵＥとの間で、ＰＤＳＣＨやＰＤＣＣＨや、Ｐ-ＳＣＨや、Ｓ-ＳＣＨや、Ｐ-ＨＩＣＨ（Ｐｈｙｓｉｃａｌ  ＨＲＡＱ  Ｉｎｄｉｃａｔｏｒ  Ｃｈａｎｎｅｌ）や、Ｐ-ＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）や、Ｐ-ＢＣＨ等が設定可能である。
【００２９】
図２に示すように、無線基地局ｅＮＢは、ＣＱＩ取得部１１と、ＣＱＩＡｄｊｕｓｔｅｄ算出部と、変調方式・ＴＢＳ選択部１３と、下りリンクチャネル送信部１４とを具備している。
【００３０】
ＣＱＩ取得部１１は、所定タイミングで、各移動局ＵＥにおいて測定された下りリンクにおけるＣＱＩ（受信品質情報）を取得するように構成されている。例えば、ＣＱＩ取得部１１は、周期的に、各移動局ＵＥから、ＣＱＩを取得するように構成されていてもよい。
【００３１】
或いは、ＣＱＩ取得部１１は、非周期的に、各移動局ＵＥから、ＣＱＩを取得するように構成されていてもよい。この場合、例えば、ＣＱＩ取得部１１は、該移動局ＵＥに対して、上りリンクの送信を指示するＵＬ  Ｓｃｈｅｄｕｌｉｎｇ  Ｇｒａｎｔを用いて、ＣＱＩの送信を指示することにより、上述した、非周期的に送信されるＣＱＩを取得してもよい。
【００３２】
なお、上述したＵＬ  Ｓｃｈｅｄｕｌｉｎｇ  Ｇｒａｎｔ内におけるＣＱＩの送信を指示する信号は、「ＣＱＩ  ｒｅｑｕｅｓｔ」と呼ばれてもよい。また、上述したＵＬ  Ｓｃｈｅｄｕｌｉｎｇ  Ｇｒａｎｔは、Ｄｏｗｎｌｉｎｋ  Ｃｏｎｔｒｏｌ  Ｉｎｆｏｒｍａｔｉｏｎ（ＤＣＩ）の中のＤＣＩ  ｆｏｒｍａｔ  ０であってもよい。
【００３３】
また、ＣＱＩ取得部１１が取得するＣＱＩは、システム帯域全体のＣＱＩ（Ｗｉｄｅｂａｎｄ  ＣＱＩ）であってもよいし、システム帯域内をいくつかのサブ帯域（Ｓｕｂ−ｂａｎｄ）に分けた場合のサブ帯域毎のＣＱＩ（Ｓｕｂｂａｎｄ  ＣＱＩ）であってもよい。
【００３４】
ＣＱＩＡｄｊｕｓｔｅｄ算出部１２は、移動局ＵＥに対して割り当てた第１ＰＤＳＣＨ（第１物理下りリンク共有チャネル）用の無線リソースとして割り当てられている１つ又は複数の第１リソースブロックにおけるＣＱＩ（受信品質情報）「ＣＱＩａｌｌｏｃａｔｅｄ」、及び、第１リソースブロック内で下りリンク共通チャネル（例えば、Ｐ-ＳＣＨやＳ-ＳＣＨやＰ-ＢＣＨ等）用の無線リソース或いはＰＤＣＣＨ用の無線リソースとして割り当てられているリソース要素の数に基づいて、ＣＱＩの補正値「ＣＱＩＡｄｊｕｓｔｅｄ」を算出するように構成されている。
【００３５】
なお、上述したＣＱＩ「ＣＱＩａｌｌｏｃａｔｅｄ」は、上述したＷｉｄｅｂａｎｄ  ＣＱＩやＳｕｂｂａｎｄ  ＣＱＩの値そのものであってもよいし、上述したＷｉｄｅｂａｎｄ  ＣＱＩやＳｕｂｂａｎｄ  ＣＱＩの値を、周波数方向に平均した値であってもよい。
【００３６】
また、前記周波数方向に平均した値は、そのまま値で平均した値であってもよいし、或いは、一旦、「１００．１×ＣＱＩ」という値に変換した後に平均化し、その後、その平均した後の値を「１０×ｌｏｇ１０（ＣＱＩ）」という式により再度変換した値であってもよい。
【００３７】
さらに、上述したＣＱＩ「ＣＱＩａｌｌｏｃａｔｅｄ」は、上述したＷｉｄｅｂａｎｄ  ＣＱＩやＳｕｂｂａｎｄ  ＣＱＩの値を、時間方向に平均した値であってもよいし、或いは、時間方向に平均していない値、例えば、該移動局ＵＥから報告された最新のＷｉｄｅｂａｎｄ  ＣＱＩやＳｕｂｂａｎｄ  ＣＱＩの値であってもよい。
【００３８】
以下、下りリンク共通チャネルがマッピングされている第１リソースブロックにおけるＣＱＩの補正値「ＣＱＩＡｄｊｕｓｔｅｄ」の算出方法１、ＰＤＣＣＨがマッピングされている第１リソースブロックにおけるＣＱＩの補正値「ＣＱＩＡｄｊｕｓｔｅｄ」の算出方法２、及び、下りリンク共通チャネル及びＰＤＣＣＨの両方がマッピングされている第１リソースブロックにおけるＣＱＩの補正値「ＣＱＩＡｄｊｕｓｔｅｄ」の算出方法３のそれぞれについて説明する。
【００３９】
第１に、上述の算出方法１について説明する。かかる算出方法１において、ＣＱＩＡｄｊｕｓｔｅｄ算出部１２は、「ＣＱＩＡｄｊｕｓｔｅｄ＝ＣＱＩａｌｌｏｃａｔｅｄ＋ＣＱＩ_ｏｆｆｓｅｔ−Δａｌｌｏｃａｔｅｄ」によって、ＣＱＩの補正値「ＣＱＩＡｄｊｕｓｔｅｄ」を算出するように構成されている。
【００４０】
ここで、「Δａｌｌｏｃａｔｅｄ」は、上述の第１リソースブロック内で下りリンク共通チャネル用の無線リソースとして割り当てられているリソース要素の数に基づいて算出されるパラメータである。
【００４１】
また、「ＣＱＩ_ｏｆｆｓｅｔ」は、ＰＤＳＣＨを介して送信された所定情報の移動局ＵＥにおける受信結果（ＡＣＫ/ＮＡＣＫ）に応じて増減するオフセット値である。
【００４２】
例えば、ＣＱＩ_ｏｆｆｓｅｔは、以下の式に示すように、移動局から通知された、ＰＤＳＣＨに関する送達確認情報（ＡＣＫ/ＮＡＣＫ/ＤＴＸ）に基づいて調整されてもよい。
【数１Ａ】
2010154108.tif 000004
ここで、ＤＴＸとは、「ＡＣＫもＮＡＣＫも移動局から通知されなかった」という判定結果であり、これは、前記移動局が、該ＰＤＳＣＨのためのＰＤＣＣＨ（ＤＬ  Ｓｃｈｅｄｕｌｉｎｇ  Ｉｎｆｏｒｍａｔｉｏｎ）の検出をミスしたことを意味する。この場合、該移動局は、自局宛にＰＤＳＣＨが送信されたことを検知しないため、結果として、ＡＣＫもＮＡＣＫも送信しないことになる。
【００４３】
また、Δａｄｊ及びＢＬＥＲｔａｒｇｅｔは、前記ＣＱＩ_ｏｆｆｓｅｔを調節するためのパラメータである。前記ＢＬＥＲｔａｒｇｅｔは、前記ＰＤＳＣＨのための目標の誤り率であってもよい。
【００４４】
さらに、「ＣＱＩ_ｏｆｆｓｅｔ」は、ＰＤＳＣＨを介して送信される所定情報の優先度、例えば、ＰＤＳＣＨにマッピングされる論理チャネルの優先度（Ｐｒｉｏｒｉｔｙ）に基づいて算出されてもよい。例えば、ＣＱＩ_ｏｆｆｓｅｔは、以下の式に示すように、ＰＤＳＣＨを介して送信される論理チャネルの優先度（Ｌｏｇｉｃａｌ  Ｃｈａｎｎｅｌ  Ｐｒｉｏｒｉｔｙ）に基づいて調整されてもよい。
【数１Ｂ】
2010154108.tif 000005
なお、Δｐｒｉｏｒｉｔｙは、ＰＤＳＣＨを介して送信される論理チャネルの優先度毎に設定されるオフセット値である。例えば、ＤＣＣＨを送信する場合には、Δｐｒｉｏｒｉｔｙ＝１ｄＢと設定されてもよい。この場合、見かけ上のＣＱＩが小さくなることにより、該ＰＤＳＣＨの誤り率が小さくなる。結果として、ＤＣＣＨの誤り率を低減し、Ｃ−ｐｌａｎｅの遅延を低減することが可能となる。
【００４５】
上述した説明において、優先度として、論理チャネルの優先度（Ｌｏｇｉｃａｌ  Ｃｈａｎｎｅｌ  Ｐｒｉｏｒｉｔｙ）が用いられたが、代わりに、ＱｏＳや「ＱｏＳ  Ｃｌａｓｓ  Ｉｄｅｎｔｉｆｉｅｒ（ＱＣＩ）」や「Ｐｒｉｏｒｉｔｙ  Ｃｌａｓｓ」が用いられてもよい。
【００４６】
なお、上述したＰＤＳＣＨに関する送達確認情報（ＡＣＫ/ＮＡＣＫ/ＤＴＸ）に基づいたＣＱＩ_ｏｆｆｓｅｔの調整、及び、ＰＤＳＣＨを介して送信される論理チャネルの優先度に基づいたＣＱＩ_ｏｆｆｓｅｔの調整は、両方行われてもよく、或いは、どちらか一方のみが行われてもよく、或いは、そのいずれも行われなくてもよい。いずれの場合においても、後述するパラメータ「Δａｌｌｏｃａｔｅｄ」が算出され、ＣＱＩの補正値「ＣＱＩＡｄｊｕｓｔｅｄ」を算出する処理が適用されることができる。
【００４７】
例えば、ＣＱＩＡｄｊｕｓｔｅｄ算出部１２は、以下の３種類の算出方法によって、パラメータ「Δａｌｌｏｃａｔｅｄ」について算出することができる。
【００４８】
第１の算出方法において、ＣＱＩＡｄｊｕｓｔｅｄ算出部１２は、図３に示す「ＣＱＩ」と「ＳＩＲ」との対応表を参照して、上述のＣＱＩの平均値「ＣＱＩａｌｌｏｃａｔｅｄ」に対応する信号対干渉比「ＳＩＲａｌｌｏｃａｔｅｄ」を取得し、
【数２】
2010154108.tif 000006
【００４９】
によって、信号対干渉比の補正値「ＳＩＲａｌｌｏｃａｔｅｄ’」を算出し、図３に示す「ＣＱＩ」と「ＳＩＲ」との対応表を参照して、かかる信号対干渉比の補正値「ＳＩＲａｌｌｏｃａｔｅｄ’」に対応するＣＱＩの平均値の補正値「ＣＱＩａｌｌｏｃａｔｅｄ’」を取得し、「Δａｌｌｏｃａｔｅｄ＝ＣＱＩａｌｌｏｃａｔｅｄ−ＣＱＩａｌｌｏｃａｔｅｄ’」によって、パラメータ「Δａｌｌｏｃａｔｅｄ」を算出するように構成されていてもよい。
【００５０】
より具体的には、ＮＲＥの値が３３００であり、ＮＲＥ，ＳＣＨ／Ｐ−ＢＣＨの値が１４４である場合、「ＳＩＲａｌｌｏｃａｔｅｄ’」と「ＳＩＲａｌｌｏｃａｔｅｄ」の関係は、以下のようになる。
【００５１】
ＳＩＲａｌｌｏｃａｔｅｄ’＝ ＳＩＲａｌｌｏｃａｔｅｄ＋１０×ｌｏg１０（（３３００−１４４）／３３００）＝ＳＩＲａｌｌｏｃａｔｅｄ−０．１９４
ここで、「ＮＲＥ」は、上述の第１リソースブロック内のリソース要素の数であり、「ＮＲＥ，ＳＧＨ/Ｐ-ＢＣＨ」は、上述の第１リソースブロック内で下りリンク共通チャネル用の無線リソースとして割り当てられているリソース要素の数である。
【００５２】
なお、上述したリソース要素は、Ｒｅｓｏｕｒｃｅ  Ｅｌｅｍｅｎｔと呼ばれてもよい。また、前記Ｒｅｓｏｕｒｃｅ  Ｅｌｅｍｅｎｔは、周波数方向として１サブキャリア、時間方向としては１ＯＦＤＭシンボルから構成される無線リソースであってもよい。
【００５３】
第２の算出方法において、ＣＱＩＡｄｊｕｓｔｅｄ算出部１２は、
【数３】
2010154108.tif 000007
【００５４】
を満足する最大の「Δａｌｌｏｃａｔｅｄ」を、パラメータ「Δａｌｌｏｃａｔｅｄ」として算出するように構成されていてもよい。
【００５５】
ここで、「ＴＢＳｘ」は、インデックス値「ｘ」に対応するＴＢＳである。すなわち、ＣＱＩＡｄｊｕｓｔｅｄ算出部は、各インデックス値「ｘ」に対応する「ＴＢＳｘ」の値を管理するように構成されている。
【００５６】
第３の算出方法において、ＣＱＩＡｄｊｕｓｔｅｄ算出部１２は、
【数３Ａ】
2010154108.tif 000008
によって、パラメータ「Δａｌｌｏｃａｔｅｄ」を算出するように構成されていてもよい。ここで、パラメータ「ａ」は、ＳＩＲの値からＣＱＩの値に変換する際の補正パラメータであり、任意の定数であってもよい。
【００５７】
第２に、上述の算出方法２について説明する。かかる算出方法２において、ＣＱＩＡｄｊｕｓｔｅｄ算出部１２は、「ＣＱＩＡｄｊｕｓｔｅｄ＝ＣＱＩａｌｌｏｃａｔｅｄ＋ＣＱＩ_ｏｆｆｓｅｔ−ΔＰＤＣＣＨ_ｓｙｍｂｏｌ」によって、ＣＱＩの補正値「ＣＱＩＡｄｊｕｓｔｅｄ」を算出するように構成されている。
【００５８】
ここで、「ΔＰＤＣＣＨ_ｓｙｍｂｏｌ」は、上述の第１リソースブロック内でＰＤＣＣＨ用の無線リソースとして割り当てられているリソース要素の数に基づいて算出されるパラメータである。
【００５９】
例えば、ＣＱＩＡｄｊｕｓｔｅｄ算出部１２は、以下の２種類の算出方法によって、パラメータ「ΔＰＤＣＣＨ_ｓｙｍｂｏｌ」について算出することができる。
【００６０】
第２の算出方法において、ＣＱＩＡｄｊｕｓｔｅｄ算出部１２は、図３に示す「ＣＱＩ」と「ＳＩＲ」との対応表を参照して、上述のＣＱＩの平均値「ＣＱＩａｌｌｏｃａｔｅｄ」に対応する信号対干渉比「ＳＩＲａｌｌｏｃａｔｅｄ」を取得し、
【数４】
2010154108.tif 000009
【００６１】
によって、信号対干渉比の補正値「ＳＩＲａｌｌｏｃａｔｅｄ’」を算出し、図３に示す「ＣＱＩ」と「ＳＩＲ」との対応表を参照して、かかる信号対干渉比の補正値「ＳＩＲａｌｌｏｃａｔｅｄ’」に対応するＣＱＩの平均値の補正値「ＣＱＩａｌｌｏｃａｔｅｄ’」を取得し、「ΔＰＤＣＣＨ_ｓｙｍｂｏｌ＝ＣＱＩａｌｌｏｃａｔｅｄ−ＣＱＩａｌｌｏｃａｔｅｄ’」によって、パラメータ「ΔＰＤＣＣＨ_ｓｙｍｂｏｌ」を算出するように構成されていてもよい。
【００６２】
ここで、「ＮＲＥ，ＰＤＣＣＨ」は、上述の第１リソースブロック内でＰＤＣＣＨ用の無線リソースとして割り当てられているリソース要素の数である。
【００６３】
なお、上述した例において、図３に示す「ＣＱＩ」と「ＳＩＲ」との対応表は、ＰＤＣＣＨ用の無線リソースとして割り当てられているリソース要素の数が「０」であることを想定しているが、代わりに、図３に示す「ＣＱＩ」と「ＳＩＲ」との対応表は、ＰＤＣＣＨ用の無線リソースとして割り当てられているリソース要素の数が最大の場合であることを想定している場合の算出方法を以下に示す。
【００６４】
すなわち、図３に示す「ＣＱＩ」と「ＳＩＲ」との対応表は、ＰＤＣＣＨ用のＯＦＤＭシンボル数が「３」であることを想定して作成されている場合、上述した「ＳＩＲａｌｌｏｃａｔｅｄ’」と「ＳＩＲａｌｌｏｃａｔｅｄ」の関係は、以下のようになる。
【数４Ａ】
2010154108.tif 000010
但し、ＮＲＥ，ＰＤＣＣＨ，ｍａｘは、ＰＤＣＣＨ用のＯＦＤＭシンボル数が「３」である場合のＰＤＣＣＨ用の無線リソースとして割り当てられているリソース要素の数である。
【００６５】
第２の算出方法において、ＣＱＩＡｄｊｕｓｔｅｄ算出部１２は、
【数５】
2010154108.tif 000011
【００６６】
を満足する最大の「ΔＰＤＣＣＨ_ｓｙｍｂｏｌ」を、パラメータ「ΔＰＤＣＣＨ_ｓｙｍｂｏｌ」として算出するように構成されていてもよい。
【００６７】
第３に、上述の算出方法３について説明する。かかる算出方法３において、ＣＱＩＡｄｊｕｓｔｅｄ算出部１２は、「ＣＱＩＡｄｊｕｓｔｅｄ＝ＣＱＩａｌｌｏｃａｔｅｄ＋ＣＱＩ_ｏｆｆｓｅｔ−Δａｌｌｏｃａｔｅｄ＆ＰＤＣＣＨ_ｓｙｍｂｏｌ」によって、ＣＱＩの補正値「ＣＱＩＡｄｊｕｓｔｅｄ」を算出するように構成されている。
【００６８】
ここで、「Δａｌｌｏｃａｔｅｄ＆ＰＤＣＣＨ_ｓｙｍｂｏｌ」は、上述の第１リソースブロック内で下りリンク共通チャネル用の無線リソース及びＰＤＣＣＨ用の無線リソースとして割り当てられているリソース要素の数に基づいて算出されるパラメータである。
【００６９】
例えば、ＣＱＩＡｄｊｕｓｔｅｄ算出部１２は、以下の２種類の算出方法によって、パラメータ「Δａｌｌｏｃａｔｅｄ＆ＰＤＣＣＨ_ｓｙｍｂｏｌ」について算出することができる。
【００７０】
第１の算出方法において、ＣＱＩＡｄｊｕｓｔｅｄ算出部１２は、図３に示す「ＣＱＩ」と「ＳＩＲ」との対応表を参照して、上述のＣＱＩの平均値「ＣＱＩａｌｌｏｃａｔｅｄ」に対応する信号対干渉比「ＳＩＲａｌｌｏｃａｔｅｄ」を取得し、
【数６】
2010154108.tif 000012
【００７１】
によって、信号対干渉比の補正値「ＳＩＲａｌｌｏｃａｔｅｄ’」を算出し、図３に示す「ＣＱＩ」と「ＳＩＲ」との対応表を参照して、かかる信号対干渉比の補正値「ＳＩＲａｌｌｏｃａｔｅｄ’」に対応するＣＱＩの平均値の補正値「ＣＱＩａｌｌｏｃａｔｅｄ’」を取得し、「Δａｌｌｏｃａｔｅｄ＆ＰＤＣＣＨ_ｓｙｍｂｏｌ＝ＣＱＩａｌｌｏｃａｔｅｄ−ＣＱＩａｌｌｏｃａｔｅｄ’」によって、パラメータ「Δａｌｌｏｃａｔｅｄ＆ＰＤＣＣＨ_ｓｙｍｂｏｌ」を算出するように構成されていてもよい。
【００７２】
第２の算出方法において、ＣＱＩＡｄｊｕｓｔｅｄ算出部１２は、
【数７】
2010154108.tif 000013
【００７３】
を満足する最大の「Δａｌｌｏｃａｔｅｄ＆ＰＤＣＣＨ_ｓｙｍｂｏｌ」を、パラメータ「Δａｌｌｏｃａｔｅｄ＆ＰＤＣＣＨ_ｓｙｍｂｏｌ」として算出するように構成されていてもよい。
【００７４】
変調方式・ＴＢＳ選択部１３は、ＣＱＩＡｄｊｕｓｔｅｄ算出部１２によって算出されたＣＱＩの補正値「ＣＱＩＡｄｊｕｓｔｅｄ」に基づいて、第１リソースブロックにおいて使用すべき変調方式及び伝送可能なビット数（ＴＢＳ）を選択するように構成されている。
【００７５】
例えば、変調方式・ＴＢＳ選択部１３は、図４に示す「ＣＱＩ」と「ＴＢＳ」と「変調方式」との対応表を参照して、ＣＱＩＡｄｊｕｓｔｅｄ算出部１２によって算出されたＣＱＩの補正値「ＣＱＩＡｄｊｕｓｔｅｄ」に対応する「ＴＢＳ」及び「変調方式」を、第１リソースブロックにおいて使用すべき変調方式及び伝送可能なビット数（ＴＢＳ）として選択するように構成されていてもよい。
【００７６】
なお、かかる対応表は、「第１リソースブロックの数」毎に設けられているものとする。
【００７７】
ここで、変調方式・ＴＢＳ選択部１３は、図５に示す「ＳＩＲ」と「ＴＢＳ」と「変調方式」との対応表を参照して、ＣＱＩＡｄｊｕｓｔｅｄをＳＩＲに変換した値ＳＩＲＡｄｊｕｓｔｅｄに対応する「ＴＢＳ」及び「変調方式」を第１リソースブロックにおいて使用すべき変調方式及び伝送可能なビット数（ＴＢＳ）として選択するように構成されていてもよい。なお、ＣＱＩＡｄｊｕｓｔｅｄからＳＩＲＡｄｊｕｓｔｅｄへの変換は、例えば、図３の「ＣＱＩ」と「ＳＩＲ」の対応表を用いて、以下の式に従って算出される。
【数７Ａ】
2010154108.tif 000014
なお、かかる対応表も、「第１リソースブロックの数」毎に設けられているものとする。
【００７８】
下りリンクチャネル送信部１４は、変調方式・ＴＢＳ選択部１３によって選択された変調方式及びＴＢＳを用いた第１リソースブロックを用いて、移動局ＵＥに対して、所定情報を送信するように構成されている。
【００７９】
なお、前記第１リソースブロックを用いて送信される所定情報は、物理チャネルとしてはＰＤＳＣＨであり、トランスポートチャネルとしてはＤＬ-ＳＣＨであり、論理チャネルとしては、ＤＴＣＨまたはＤＣＣＨであってもよい。
【００８０】
（本発明の第１の実施形態に係る移動通信システムの動作）
図６及び図７を参照して、本発明の第１の実施形態に係る移動通信システムにおいて、無線基地局ｅＮＢが、移動局ＵＥに対して、かかる移動局ＵＥに対して割り当てられた第１リソースブロックを用いて所定情報（下りリンクデータ）を送信する動作について説明する。
【００８１】
図６に示すように、ステップＳ１０１において、無線基地局ｅＮＢが、ＰＤＳＣＨにおいて移動局ＵＥに割り当てられている複数の第１リソースブロック＃１におけるＣＱＩの平均値「ＣＱＩａｌｌｏｃａｔｅｄ」、及び、ＣＱＩ_ｏｆｆｓｅｔの補正値「ＣＱＩ_ｏｆｆｓｅｔＡｄｊｕｓｔｅｄ」を算出する。
【００８２】
図７を参照して、かかるＣＱＩ_ｏｆｆｓｅｔの補正値「ＣＱＩ_ｏｆｆｓｅｔＡｄｊｕｓｔｅｄ」の算出方法の一例について説明する。
【００８３】
図７に示すように、ステップＳ２０１において、無線基地局ｅＮＢは、図３に示す「ＣＱＩ」と「ＳＩＲ」との対応表を参照して、上述のＣＱＩの平均値「ＣＱＩａｌｌｏｃａｔｅｄ」に対応する信号対干渉比「ＳＩＲａｌｌｏｃａｔｅｄ」を取得する。
【００８４】
ステップＳ２０２において、無線基地局ｅＮＢは、
【数８】
2010154108.tif 000015
【００８５】
によって、信号対干渉比の補正値「ＳＩＲａｌｌｏｃａｔｅｄ’」を算出する。
【００８６】
ステップＳ２０３において、無線基地局ｅＮＢは、図３に示す「ＣＱＩ」と「ＳＩＲ」との対応表を参照して、かかる信号対干渉比の補正値「ＳＩＲａｌｌｏｃａｔｅｄ’」に対応するＣＱＩの平均値の補正値「ＣＱＩａｌｌｏｃａｔｅｄ’」を取得する。
【００８７】
ステップＳ２０４において、無線基地局ｅＮＢは、「Δａｌｌｏｃａｔｅｄ＆ＰＤＣＣＨ_ｓｙｍｂｏｌ＝ＣＱＩａｌｌｏｃａｔｅｄ−ＣＱＩａｌｌｏｃａｔｅｄ’」によって、パラメータ「Δａｌｌｏｃａｔｅｄ＆ＰＤＣＣＨ_ｓｙｍｂｏｌ」を算出し、「ＣＱＩ_ｏｆｆｓｅｔＡｄｊｕｓｔｅｄ＝ＣＱＩ_ｏｆｆｓｅｔ−Δａｌｌｏｃａｔｅｄ＆ＰＤＣＣＨ_ｓｙｍｂｏｌ」によって、ＣＱＩ_ｏｆｆｓｅｔの補正値「ＣＱＩ_ｏｆｆｓｅｔＡｄｊｕｓｔｅｄ」を算出する。
【００８８】
無線基地局ｅＮＢは、図６に戻り、ステップＳ１０３２において、「ＣＱＩＡｄｊｕｓｔｅｄ＝ＣＱＩａｌｌｏｃａｔｅｄ＋ＣＱＩ_ｏｆｆｓｅｔＡｄｊｕｓｔｅｄ」によって、ＣＱＩの補正値「ＣＱＩＡｄｊｕｓｔｅｄ」を算出する。
【００８９】
ステップＳ１０３において、無線基地局ｅＮＢは、図４に示す「ＣＱＩ」と「ＴＢＳ」と「変調方式」との対応表を参照して、算出されたＣＱＩの補正値「ＣＱＩＡｄｊｕｓｔｅｄ」に対応する「ＴＢＳ」及び「変調方式」を、第１リソースブロックにおいて使用すべき変調方式及び伝送可能なビット数（ＴＢＳ）として選択する。
【００９０】
ステップＳ１０４において、無線基地局ｅＮＢは、選択された変調方式及びＴＢＳを用いた第１リソースブロックを介して、移動局ＵＥに対して、所定情報を送信する。
【００９１】
なお、無線基地局ｅＮＢは、図６及び図７の動作を、時間スロット（サブフレーム）ごとに行うように構成されていてもよい。
【００９２】
（本発明の第１の実施形態に係る移動通信システムの作用・効果）
本発明の第１の実施形態に係る移動通信システムで用いられる移動局ＵＥによれば、ＬＴＥ方式のように、各リソースブロックによって伝送可能なビット数が一定でない場合であっても、ＰＤＳＣＨにおいて所望の伝送品質を実現することができる。
【００９３】
なお、上述の無線基地局ｅＮＢの動作は、ハードウェアによって実施されてもよいし、プロセッサによって実行されるソフトウェアモジュールによって実施されてもよいし、両者の組み合わせによって実施されてもよい。
【００９４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ内に設けられていてもよい。また、かかる記憶媒体及びプロセッサは、ディスクリートコンポーネントとして移無線基地局ｅＮＢ内に設けられていてもよい。
【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９７】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって管理されている「ＣＱＩ」と「ＳＩＲ」との対応表の一例を示す図である。
【図４】本発明の第１の実施形態に係る無線基地局によって管理されている「ＣＱＩ」と「ＴＢＳ」と「変調方式」との対応表の一例を示す図である。
【図５】本発明の第１の実施形態に係る無線基地局によって管理されている「ＳＩＲ」と「ＴＢＳ」と「変調方式」との対応表の一例を示す図である。
【図６】本発明の第１の実施形態に係る無線基地局が下りリンクチャネルを介して所定情報を送信する動作について示すフローチャートである。
【図７】本発明の第１の実施形態に係る無線基地局が「ＣＱＩ_ｏｆｆｓｅｔＡｄｊｕｓｔｅｄ」を算出する動作について示すフローチャートである。
【図８】ＨＳＤＰＡ方式及びＬＴＥ方式における共有データチャネルに対する無線リソースの割り当て方法の一例を示す図である。
【符号の説明】
【００９８】
ｅＮＢ…無線基地局
１１…ＣＱＩ取得部
１２…ＣＱＩＡｄｊｕｓｔｅｄ算出部
１３…変調方式・ＴＢＳ選択部
１４…下りリンクチャネル送信部
【図１】
2010154108.tif 000022
【図２】
2010154108.tif 000023
【図３】
2010154108.tif 000024
【図４】
2010154108.tif 000025
【図５】
2010154108.tif 000026
【図６】
2010154108.tif 000027
【図７】
2010154108.tif 000028
【図８】
2010154108.tif 000029